(57)【要約】【課題】波うちのない綺麗な巻き上げが可能となる農業用シートの巻取構造及び農業用シートを得、特に巻き上げ作業の向上、シート寿命の延長、開口作業時間の短縮、暖房性能の低下を防止する。【解決手段】光透過性を有し、帯状シート材４３の幅方向一方の側縁３１をレール形枠材１９に固定するとともに、幅方向他方の側縁３３を巻取パイプ３５に固定する農業用シート２７の巻取構造であって、帯状シート材４３の幅方向一方の側縁３１には帯状シート材の長手方向に延在する第１の位置決めラインが設けられ、幅方向他方の側縁３３には第１の位置決めラインと平行な第２の位置決めラインが設けられる。レール形枠材１９は第１の位置決めラインに一致して固定され、巻取パイプ３５は第２の位置決めラインに一致して固定される。【選択図】      図２
2009142197.tif 000002
【特許請求の範囲】
【請求項１】
光透過性を有する帯状シート材の幅方向一方の側縁がレール形枠材に固定されるとともに、幅方向他方の側縁が巻取パイプに固定される農業用シートの巻取構造であって、
前記帯状シート材の前記幅方向一方の側縁には該帯状シート材の長手方向に延在する第１の位置決めラインが設けられ、前記幅方向他方の側縁には該第１の位置決めラインと平行な第２の位置決めラインが設けられ、
前記レール形枠材が前記第１の位置決めラインに一致して固定され、前記巻取パイプが前記第２の位置決めラインに一致して固定されたことを特徴とする農業用シートの巻取構造。
【請求項２】
光透過性を有する帯状シート材からなり、幅方向一方の側縁がレール形枠材に固定されるとともに、幅方向他方の側縁が巻取パイプに固定される帯状の農業用シートであって、
前記帯状シート材の前記幅方向一方の側縁には前記レール形枠材と一致し該帯状シート材の長手方向に延在する第１の位置決めラインが設けられ、
前記幅方向他方の側縁には前記巻取パイプに一致し該第１の位置決めラインと平行な第２の位置決めラインが設けられたことを特徴とする農業用シート。
【請求項３】
前記帯状シート材の厚さが、０．２〜０．７ｍｍに形成されていることを特長とする請求項２記載の農業用シート。
【請求項４】
請求項２又は３記載の農業用シートを用い、農業用ハウスを構成する換気開口部に展張し取り付けるシート展張施工方法であって、
巻回状態の前記農業用シートを、前記換気開口部にて巻き戻しながら前記農業用ハウスの奥行き方向に展張し載置する工程と、
レール形枠材のシート定着溝の一方の縁部に、前記第１の位置決めラインを一致させ、農業用シートの一方の側縁を、前記シート定着溝内に入れるとともに、該シート上から係止線条を用いて該係止線条を前記シートとともに溝内へ嵌め入れる工程と、
巻取パイプの下面から他方の側縁を巻き付け、該他方の側縁に設けられる第２の位置決めラインを該巻取パイプの外側面に沿わせて位置決めし、巻き付けられた他方の側縁を、Ｃ字状固定具を嵌合して、挟着固定する工程と、
を具備することを特徴とするシート展張施工方法。
【発明の詳細な説明】
【技術分野】
【０００１】
本発明は、帯状シート材の幅方向一方の側縁がレール形枠材に固定されるとともに、幅方向他方の側縁が巻取パイプに固定される農業用シートの巻取構造及び農業用シートに関し、特に、換気開口部に用いて好適なものである。
【背景技術】
【０００２】
従来より断面略半円形の屋根部を有した蒲鉾状の農業用ビニールハウスが知られている。この種の農業用ビニールハウスは、単棟型や連棟型として設置され、上記断面に直交方向の奥行きが１００ｍを超えるものも多くある。一般に、農業用ビニールハウスでは、気象の推移によるハウス内の温度変化を適温に調節するために換気を行う（例えば特許文献１参照）。そのための一手段として、単棟ハウス両側面や連棟ハウス間の谷間側屋根面に、矩形状の換気開口部を奥行き方向に渡って形成し、この換気開口部に帯状シート材の巻取パイプを設置し、巻取パイプの回転により帯状シート材を巻き上げ下げして、換気開口部を開閉する。
【０００３】
帯状シート材は、長手方向がハウス奥行き方向となる向きで換気開口部に配置され、幅方向一方の側縁（上縁）が、ハウスフレームに固定されるレール形枠材（例えば特許文献２参照）に固定され、幅方向他方の側縁（下縁）が、ハウス奥行き方向に渡って設けられた回転自在な巻取パイプに固定される（例えば特許文献３参照）。巻取パイプには巻上げ装置が連結され、巻上げ装置はハンドルにギアを噛ませた減速機構及びストッパーを備え、手動によるハンドル回転を減速機を介して巻取パイプに伝達する（例えば特許文献４参照）。
【０００４】
この巻取構造によれば、換気開口部の閉鎖状態で、巻上げ装置のハンドルが回転されると、巻取パイプが帯状シート材の下縁を巻き上げながら上昇し、換気開口部を開放し、ハンドルを逆回転することにより、巻回した帯状シート材を繰り出しながら巻取パイプが下降して換気開口部を閉鎖することができた。
【特許文献１】実公平５−３００７号公報
【特許文献２】実公昭５７−４４０９３号公報
【特許文献３】特開２００２−３５４９４６号公報
【特許文献４】実登３０８１３９６号公報
【発明の開示】
【発明が解決しようとする課題】
【０００５】
ところで、上記した換気開口部に設けられる帯状シート材は、巻取パイプにより巻き取り、繰り出されることから、擦れ等が生じ易く、一般的に３年以内で交換される。交換に際しては、既設の帯状シート材を撤去した後、新規帯状シート材の上縁をレール形枠材に固定し、下縁を巻取パイプに固定する。帯状シート材の幅寸法は７５〜２３０ｃｍであり、上縁及び下縁を目分量でレール形枠材及び巻取パイプに固定していた。このため、レール形枠材と巻取パイプとの離間距離が、ハウス奥行き方向でバラツキ、巻取パイプにて巻き上げされた際にシートを巻回した巻取パイプが上下方向に波うつことがあった。この波うちは、上縁及び下縁の固定作業が作業者の目分量であることが主要因であり、また奥行き方向が長尺であることで複数人による作業である場合に、各個人の判断でシート側縁からの距離（長さ）を決めてレール形枠材と巻取パイプとにそれぞれ固定していくため、側縁から均等な長さ（位置）で固定されず、すなわち上下固定間隔のシート幅が不均一となることに要因がある。
【０００６】
このような波うちが生じると、シート開閉時にガタツキが発生し、特に巻き上げ作業性を低下させた。また、巻き取り量の不均衡から局所的な擦れ、すなわち、枠材や煽り防止ベルト等との擦れ（摩耗）が発生し、その結果シート寿命を短縮させることにもなった。さらに、シート閉鎖時（巻取パイプの下降時）に、巻取パイプに波うちが残れば、換気開口部が完全に閉鎖されず、暖房性能を低下させる原因ともなった。
【０００７】
本発明は上記状況に鑑みてなされたもので、波うちのない綺麗な巻き上げが可能となる農業用シートの巻取構造及び農業用シートを提供し、もって、特に取り付け作業性の向上、取付状態を整え略一定幅とし、シート寿命の延長、開口作業時間の短縮、暖房性能の低下防止を図ることを目的とする。また、この農業用シートを、展張し取り付けるにあたり、波うちなどを発生させることなく、農業用ハウスの奥行き方向に均等幅で取り付けることを可能とする。
【課題を解決するための手段】
【０００８】
次に、上記の課題を解決するための手段を、実施の形態に対応する図面を参照して説明する。
本発明の請求項１記載の農業用シートの巻取構造は、光透過性を有する帯状シート材４３の幅方向一方の側縁３１がレール形枠材１９に固定されるとともに、幅方向他方の側縁３３が巻取パイプ３５に固定される農業用シート２７の巻取構造であって、
前記帯状シート材４３の前記幅方向一方の側縁３１には該帯状シート材４３の長手方向に延在する第１の位置決めライン４７が設けられ、前記幅方向他方の側縁３３には該第１の位置決めライン４７と平行な第２の位置決めライン４９が設けられ、
前記レール形枠材１９が前記第１の位置決めライン４７に一致して固定され、前記巻取パイプ３５が前記第２の位置決めライン４９に一致して固定されたことを特徴とする。
【０００９】
この農業用シートの巻取構造では、第１の位置決めライン４７にレール形枠材１９が固定されるとともに、これと平行な第２の位置決めライン４９に巻取パイプ３５が固定され、レール形枠材１９と巻取パイプ３５との間の帯状シート材４３の距離Ｗ１が、レール形枠材１９及び巻取パイプ３５の全長に渡って等しくなる。したがって、巻取パイプ３５の回転に伴う帯状シート材４３の巻き込み量が全ての位置で等しくなり、波うちのない綺麗な巻き上げが可能となる。また、弛みや、巻きすぎの不均衡がなく、全長に渡って等量ずつが巻き上げられ、ガタツキのない良好な巻き上げ作業が可能となる。さらに、巻回済みの帯状シート材４３を巻き戻す際、すなわち、帯状シート材４３を繰り出しながら巻取パイプ３５を下降させる際、同量が繰り出され、波うちのない水平な巻取パイプ３５が下降されることで、展張完了時に換気開口部１５が確実に閉鎖される。
【００１０】
請求項２記載の農業用シートは、光透過性を有する帯状シート材４３からなり、幅方向一方の側縁３１がレール形枠材１９に固定されるとともに、幅方向他方の側縁３３が巻取パイプ３５に固定される帯状の農業用シート２７であって、
前記帯状シート材４３の前記幅方向一方の側縁３１には前記レール形枠材１９と一致し該帯状シート材４３の長手方向に延在する第１の位置決めライン４７が設けられ、
前記幅方向他方の側縁３３には前記巻取パイプ３５に一致し該第１の位置決めライン４７と平行な第２の位置決めライン４９が設けられたことを特徴とする。
【００１１】
この農業用シートでは、固定位置に第１、第２の位置決めライン４７，４９が設けられているので、従来の作業者の目分量による位置決めに比べ、レール形枠材１９や巻取パイプ３５に対する取付け位置が容易に視認可能となる。また、不均衡な取付状態とならず正確な固定位置が簡単に決定でき、シートの弛みや張りすぎの手直しが不要となり、作業性が良好となる。
【００１２】
請求項３記載の農業用シートは、前記帯状シート材４３の厚さが、０．２〜０．７ｍｍに形成されていることを特徴とする。
【００１３】
この農業用シート２７では、厚みのあるシート材４３で構成されることから、開閉が頻繁に行われる換気開口部１３ａ，１３ｂ，１５に用いるのに好適であり、開閉動作にて起こる擦れなどに対する耐久性が向上する。
【００１４】
請求項４記載のシート展張施工方法は、請求項２又は３記載の農業用シートを用い、農業用ハウス１００を構成する換気開口部１３ａ，１３ｂ，１５に展張し取り付けるシート展張施工方法であって、
巻回状態の前記農業用シート２７を、前記換気開口部１３ａ，１３ｂ，１５にて巻き戻しながら前記農業用ハウス１００の奥行き方向に展張し載置する工程と、
レール形枠材１９のシート定着溝１９ｃの一方の縁部に、前記第１の位置決めライン４７を一致させ、農業用シート２７の一方の側縁３１を、前記シート定着溝１９ｃ内に入れるとともに、該シート上から係止線条１９ｂを用いて該係止線条１９ｂを前記シート２７とともに溝１９ｃ内へ嵌め入れる工程と、
巻取パイプ３５の下面から他方の側縁３３を巻き付け、該他方の側縁３３に設けられる第２の位置決めライン４９を該巻取パイプ３５の外側面に沿わせて位置決めし、巻き付けられた他方の側縁３３を、Ｃ字状固定具３７を嵌合して、挟着固定する工程と、
を具備することを特徴とする。
【００１５】
このシート展張施工方法では、巻回状態の農業用シート２７を農業用ハウス１００の屋根部分などにて巻き戻し、展開して換気開口部１３ａ，１３ｂ，１５に載置し、一方の側縁３１をレール形枠材１９のシート定着溝１９ｃに係止線条１９ｂにて取り付け、また、他方の側縁３３を巻取パイプ３５にＣ字状固定具３７にて取り付ける。それぞれの側縁３１，３３を取り付ける際に、各側縁に設けられた位置決めライン４７，４９にて、位置を確認しながら作業を行えることで、レール形枠材１９と巻取パイプ３５との間隔距離は、一定に保たれ、シートが波うち状に取り付けられることがなくなる。
【発明の効果】
【００１６】
本発明に係る請求項１記載の農業用シートの巻取構造によれば、帯状シート材の幅方向一方の側縁には長手方向に延在する第１の位置決めラインが設けられ、幅方向他方の側縁には第１の位置決めラインと平行な第２の位置決めラインが設けられ、レール形枠材が第１の位置決めラインに一致して固定され、巻取パイプが第２の位置決めラインに一致して固定されるので、換気開口部でのシート巻き上げ時に、波うちのない綺麗な巻き上げが可能となり、開閉動作がスムースとなって、農業用シートの寿命を延ばすことができる。また、特に巻き上げ作業が良好となり、開口作業時間を短縮することができる。さらに、展張時に換気開口部を確実に閉鎖でき、暖房性能の低下を防止することができる。また、開閉がスムースとなり波うちなども発生しないことから、温湿度センサ等を備えた自動開閉制御装置を備えた農業用ハウス、すなわち、前記巻取パイプが外気の変化等に応じて回転駆動し、シートの巻き取り，巻き戻しを行って、開閉を自動的に行う装置にも適応可能となる。
【００１７】
請求項２記載の農業用シートによれば、帯状シート材の幅方向一方の側縁にはレール形枠材と一致し長手方向に延在する第１の位置決めラインが設けられ、幅方向他方の側縁には巻取パイプに一致し第１の位置決めラインと平行な第２の位置決めラインが設けられたので、レール形枠材や巻取パイプに対する取付け時に固定位置を容易に視認でき、波うちや蛇行のない真っ直ぐな取付けが可能となる。この結果、ズレのない高精度な展張が行える。また、固定位置が簡単に決定でき、作業性が良好となるので、シート交換の作業時間を短縮することができる。さらに、展張する長さ（奥行き）の長い農業用ハウスなどでのシート展張作業の際に、複数人での作業を行う場合などにも、各人の目分量などで作業を進めてしまうことなく、取付位置がずれずに精度の高い展張作業を行うことができる。
【００１８】
請求項３記載の農業用シートによれば、帯状シート材の厚さを、０．２〜０．７ｍｍとすることで、従来に比べ、厚みのあるシート材で構成されることとなり、開閉が頻繁に行われる換気開口部に用いるのに好適であり、開閉動作にて起こる擦れなどに対する耐久性が向上する。
【００１９】
請求項４記載のシート展張施工方法によれば、巻回状態の農業用シートを巻き戻し、展開して換気開口部に載置し、一方の側縁をレール形枠材のシート定着溝に係止線条にて取り付け、また、他方の側縁を巻取パイプにＣ字状固定具にて取り付ける手順となり、それぞれの側縁を取り付ける際に、各側縁に設けられた位置決めラインにて、位置を確認しながら作業を行えることで、レール形枠材と巻取パイプとの間隔距離は、一定に保たれ、換気開口部のシートが波うち状に取り付けられることがなくなる。各位置決めラインを有することで、展張作業時には、作業する者の目分量などではなくなり、正確な位置で取り付けることが可能となり、作業者が複数であっても、略均一な展張状態となり、作業効率とともにその展張品質も向上することとなる。
【発明を実施するための最良の形態】
【００２０】
以下、本発明に係る農業用シートの巻取構造及び農業用シートの好適な実施の形態を図面を参照して詳細に説明する。
図１は本発明に係る巻取構造を備えた農業用ビニールハウスの斜視図である。
農業用ビニールハウス１００は、支柱パイプ１ａ、アーチパイプ１ｂ、桁パイプ１ｃ、棟木パイプ１ｄ等の骨組み１に塩化ビニル系樹脂フィルム等からなるシート材３を展張したものであり、例えば断面略半円形の屋根部１１を有した蒲鉾状に形成され、単棟型や図例のように複数ハウスが連棟型として設置される。
【００２１】
単棟ハウス両側面や連棟ハウス間の谷間側屋根面には、矩形状の換気開口部１３ａ，１３ｂ，１５が奥行き方向に渡って形成され、この換気開口部１３ａ，１３ｂ，１５は本実施の形態に係る巻取構造を備えている。なお、換気開口部１３ａは肩部開口を示し、換気開口部１３ｂは壁部開口を示す。単棟ハウス両側面の換気開口部１３ａ，１３ｂに設けられる巻取構造と、谷間側屋根面の換気開口部１５に設けられる巻取構造は基本的に同一構成であるので、以下では谷間側屋根面の換気開口部１５に設けられる巻取構造を例に説明する。
【００２２】
図２は図１に示した谷間側屋根面の換気開口部の拡大斜視図である。
連棟ハウス間の谷間には谷樋１７が設けられ、谷樋１７はアーチパイプ１ｂの下端を接続する。アーチパイプ１ｂには谷樋１７と平行に離間したレール形枠材１９が固定され、このレール形枠材１９と谷樋１７の間に換気開口部１５が形成されている。谷樋１７の長手方向には所定間隔で複数の紐掛け２１が設けられる。レール形枠材１９の長手方向には所定間隔で複数の紐掛けフック２３が設けられる。紐掛け２１と紐掛けフック２３には煽り防止ベルト２５がジクザグに張架されている。この煽り防止ベルト２５とアーチパイプ１ｂの間隙は本実施の形態に係る農業用シート２７の展張スペースとなる。
【００２３】
図３はレール形枠材部分におけるシート固定構造の斜視図、図４は図３の分解断面図である。
農業用シート２７は、光透過性を有する軟質塩化ビニル樹脂またはポリオレフィン系樹脂の帯状シート材４３からなり、幅方向一方の側縁（上縁）３１がレール形枠材１９に固定される。レール形枠材１９は、一対の溝フレーム１９ａ，１９ａと、バネ性を有する係止線条１９ｂからなり、屋根部１１のシート材３と農業用シート２７の上縁３１とを収容した各シート定着溝１９ｃに係止線条１９ｂをそれぞれ挿入することで、シート材３及び農業用シート２７の上縁３１を固定する。なお、その他の形状のレール形枠材としては、シート定着溝を１つで構成し、このシート定着溝が深く形成されて、係止線条を２本とシート材を２枚、収容可能とし、屋根部のシート材・一方の係止線条・農業用シート・係止線条、の順に挿入し、すなわちシート材と農業用シートとが重なって、それぞれを固定することとしてもよい。
【００２４】
図５は巻上げ装置近傍の斜視図、図６は巻取パイプ部分におけるシート固定構造の分解断面図である。
農業用シート２７は、幅方向他方の側縁（下縁）３３が巻取パイプ３５に固定される。下縁３３は、巻取パイプ３５に巻かれた上にバネ性を有する断面Ｃ字状の固定具３７が嵌合されることで巻取パイプ３５に挟着固定される。なお、下縁３３を巻回した巻取パイプ３５には、さらに不図示のシート回転止め具が嵌合されてもよい。
【００２５】
巻取パイプ３５の一端には巻上げ装置３９が接続され、巻上げ装置３９はハンドル（手回し棒）３９ａに不図示のギアを噛ませた減速機構及びストッパーを備え、手動によるハンドル回転を減速機を介して巻取パイプ３５に伝達する。
【００２６】
図７は農業用シートが巻回された原反の斜視図、図８は図７に示した農業用シートの位置合わせ状況を表した斜視図である。
農業用シート２７は、幅Ｗ方向の軸４１に帯状シート材４３が原反４５として巻回される。帯状シート材４３の上縁３１には、帯状シート材４３の長手方向に延在する第１の位置決めライン４７が設けられ、下縁３３には第１の位置決めライン４７と平行な第２の位置決めライン４９が設けられている。つまり、農業用シート２７は、帯状シート材４３の両側縁に第１の位置決めライン４７と第２の位置決めライン４９を設けてなる。なお、これら位置決めライン４７，４９は、シート材成型直後に印刷などの手段で設けられ、或いは、筆記具等による線引きなどの手段で形成され、その後、軸４１に巻き取られて製品化されるものであり、また、この巻取長は、必要な長さに予め切断されるなど、展張作業現場にてシート材４３への加工などを必要としない状態とされて工場より出荷される。
【００２７】
帯状シート材４３は、厚さが０．２〜０．７ｍｍ、好ましくは０．２５〜０．５５ｍｍ、本実施の形態では、厚さ０．４ｍｍ、幅Ｗが１００〜１５０ｃｍで形成される。第１の位置決めライン４７、第２の位置決めライン４９は、帯状シート材４３の側端から５〜１０ｃｍ、例えば６ｃｍ程度の位置に設けられる。したがって、第１の位置決めライン４７と第２の位置決めライン４９に挟まれた帯状シート材４３の中央領域は等幅Ｗ１となる。本巻取構造では、レール形枠材１９がこの第１の位置決めライン４７に一致して固定され、巻取パイプ３５がこの第２の位置決めライン４９に一致して固定される。
【００２８】
第１の位置決めライン４７と第２の位置決めライン４９は、印刷によって設けることができる。帯状シート材４３は光透過性を有しているので、シート表裏面の一方に印刷すれば、他方の面からの視認が可能となるが、シート両面に設けられることがより好ましい。第１の位置決めライン４７と第２の位置決めライン４９は、直線で印刷してもよく、図例のように、網目模様の印刷としても被着体への重ね合わせ時に、被着体が透けて見え位置決め性を良好にできる。
【００２９】
また、図８に示すように、第１の位置決めライン４７の幅Ｗ２は、レール形枠材１９のシート定着溝１９ｃの溝開口幅Ｗａより小さく、好ましくはレール形枠材１９の開口縁の一方側に沿う細幅なラインとされる。また、第２の位置決めライン４９の幅Ｗ３は、巻取パイプ３５の直径Ｄより小さく、第１の位置決めライン４７と略同幅とされる。これにより、第１の位置決めライン４７がレール形枠材１９の溝開口側縁上に配置可能となるとともに、第２の位置決めライン４９が平面視で巻取パイプ３５の外周面に沿う縁部分、例えば巻取パイプ３５を下から巻き、端縁が重なる位置に配置可能となり、レール形枠材１９と巻取パイプ３５に対する目視による位置合わせを長尺な全長に渡って容易にすることができ、複数人での作業においても、略均一な位置、略均一な展張幅で取り付けが行える。この他、位置決めライン４７，４９には、エンボス、複数穿孔を共に施しても良く、透過して取付位置の確認を行いながら取り付け作業を進められる。
【００３０】
この農業用シート２７の巻取構造では、第１の位置決めライン４７にレール形枠材１９が固定されるとともに、第２の位置決めライン４９に巻取パイプ３５が固定され、レール形枠材１９と巻取パイプ３５との間の帯状シート材４３の距離Ｗ１が、レール形枠材１９及び巻取パイプ３５の全長に渡って等しくなる。したがって、巻取パイプ３５の回転に伴う帯状シート材４３の巻き込み量が全ての位置で等しくなり、波うちのない綺麗な巻き上げが可能となる。また、弛みや、巻きすぎの不均衡がなく、全長に渡って等量ずつが巻き上げられ、ガタツキのない良好な巻き上げ作業が可能となる。さらに、巻回済みの帯状シート材４３を巻き戻す際、すなわち、帯状シート材４３を繰り出しながら巻取パイプ３５を下降させる際、同量が繰り出され、波うちのない水平な巻取パイプ３５が下降されることで、展張完了時に換気開口部１５が確実に閉鎖される。
【００３１】
農業用シート２７では、レール形枠材１９と巻取パイプ３５の固定位置に第１、第２の位置決めライン４７，４９が設けられているので、従来の目分量による位置決めに比べ、レール形枠材１９や巻取パイプ３５に対する取付け位置が容易に視認可能となる。正確な固定位置が簡単に決定でき、シートの弛みや張りすぎの手直しが不要となり、作業性が良好となる。
【００３２】
したがって、この農業用シートの巻取構造によれば、開閉動作がスムースとなって、農業用シート２７の寿命を延ばすことができる。開口作業時間を短縮することができる。さらに、展張時に換気開口部１５を確実に閉鎖できるので、暖房性能の低下を防止することができる。
【００３３】
農業用シート２７によれば、波うちや蛇行のない真っ直ぐな取付けが可能となり、ズレのない高精度な展張が行える。また、作業性が良好となるので、シート交換の作業時間を短縮することができる。
【図面の簡単な説明】
【００３４】
【図１】本発明に係る巻取構造を備えた農業用ビニールハウスの斜視図である。
【図２】図１に示した谷間側屋根面の換気開口部の拡大斜視図である。
【図３】レール形枠材部分におけるシート固定構造の斜視図である。
【図４】図３の分解断面図である。
【図５】巻上げ装置近傍の斜視図である。
【図６】巻取パイプ部分におけるシート固定構造の分解断面図である。
【図７】農業用シートが巻回された原反の斜視図である。
【図８】図７に示した農業用シートの位置合わせ状況を表した斜視図である。
【符号の説明】
【００３５】
１３ａ，１３ｂ，１５…換気開口部
１９…レール形枠材
１９ｃ…シート定着溝
２７…農業用シート
３１…幅方向一方の側縁（上縁）
３３…幅方向他方の側縁（下縁）
３５…巻取パイプ
４３…帯状シート材
４７…第１の位置決めライン
４９…第２の位置決めライン
【図１】
2009142197.tif 000003
【図２】
2009142197.tif 000004
【図３】
2009142197.tif 000005
【図４】
2009142197.tif 000006
【図５】
2009142197.tif 000007
【図６】
2009142197.tif 000008
【図７】
2009142197.tif 000009
【図８】
2009142197.tif 000010